(57)【特許請求の範囲】
【請求項１】
水平軸のまわりに１８０゜正逆回転可能な回転板を具備し、該回転板の一方の面にコップうがい水給水装置を、他方の面に噴水うがい水給水装置を有し、前記回転板を１８０゜正回転又は逆回転することにより、前記コップうがい水給水装置と噴水うがい水給水装置を選択して使用し得るようにしたことを特徴とする歯科用スピットン。
【請求項２】
前記コップうがい水給水装置及び噴水うがい水給水装置への給水は、前記水平軸をなす管路内を通して配設され、かつ、相互に独立した給水管を通して行われることを特徴とする請求項１に記載の歯科用スピットン。
【請求項３】
前記水平軸をなす管路内には、更に、前記回転板がコップうがい水給水装置が使用可能状態にある時のみ電気信号を出力するリード線と、噴水うがい水給水装置が使用可能状態にある時のみ電気的信号を出力するリード線とが配設されていることを特徴とする請求項２に記載の歯科用スピットン。
【請求項４】
前記コップうがい水給水装置が使用可能状態にある時に出力される電気信号はコップの存在を検知した電気信号であり、前記噴水うがい水給水装置が使用可能状態にある時に出力される電気信号は噴水うがい水を噴水するためのスイッチを操作した時に出力される電気信号であることを特徴とする請求項３に記載の歯科用スピットン。
【請求項５】
前記回転板の側面を保持し、該回転板を１８０゜回転した水平位置状態に保持するための回転板ロック機構を有することを特徴とする請求項１乃至４のいずれかに記載の歯科用スピットン。
【請求項６】
請求項１乃至５のいずれかに記載の歯科用スピットンを備えたことを特徴とする歯科治療ユニット。
【発明の詳細な説明】
【０００１】
【発明の属する技術分野】
本発明は、歯科治療において、患者が口腔内をうがいする時に使用するスピットンの改良に係り、より詳細には、コップうがい水給水装置としても、噴水うがい水給水装置としても使用可能な歯科用スピットン及び該歯科用スピットンを備えた歯科治療ユニットに関する。
【０００２】
【従来の技術】
図４は、本発明が適用される歯科治療ユニットの一例を説明するための要部概略構成図で、図中、１は歯科治療椅子、２は該歯科治療椅子１を上下動、斜傾動（チルト）等する機構を内蔵した椅子昇降装置、３はブランケットテーブル（ワークテーブル）、４は術者用インスツルメントホルダー、５はインスツルメント、６は給配水ボックス、７は本発明が適用されるスピットン、８は給配水ボックス等に回動可能に取り付けられたアシスタント用インスツルメントホルダー、９は無影灯で、周知のように、患者は頭を安頭台１ａの上に載せた状態で治療椅子１の上に座り、術者は該治療椅子１を上下動、傾斜動等させて、患者を施術しやすい状態にして、治療を行う。治療中、及び、治療後に、患者は口腔内をうがいするが、その時に使用するのがスピットン７である。このスピットン７は、周知のように、うがい水を供給するうがい水供給部Ａとうがいした後の口腔内の水を吐き捨てるための鉢部Ｂとを有するが、うがい水供給部の形態として、従来より、うがい水をコップに供給するコップ給水式（図４には、コップ給水式を示してある）と、うがい水を噴射する噴水式とがある。
【０００３】
【発明が解決しようとする課題】
コップ給水方式は、紙コップ、金属コップなどに所定量の水を給水し、該コップ内の水を患者が自らの手で口に含ませて行うものであるが、デメリットとして、コップを患者ごとに変えなければならず、紙コップの場合は、ランニングコストがかかり、金属コップの場合は、その都度消毒しなければならない。
また、噴水方式は、スイッチを患者や術者、アシスタントなどが押すか、又は椅子の動きに連動する等してノズルより水を噴水させ、該ノズルより出る水に患者が自らの口を近づけうがいをするものであり、コップ給水方式のデメリットはカバーしているものの、患者の口元が濡れてしまったり、その都度スイッチを押さなければならない等のデメリットがある。
【０００４】
本発明は、上記２つの給水方式を患者によって使い分けるようにしたもので、（１）通常は、コップ給水方式または噴水方式で使用し、
（２）手の不自由な患者などコップをとる作業ができない患者に対しては噴水式にして使用し、
（３）お年寄りなど体をひねるような動作ができない患者の時はコップ給水式にして使用するようにし、
その患者に合わせたうがいを可能とすることを目的としてなされたものである。
【０００５】
【課題を解決するための手段】
請求項１の発明は、水平軸のまわりに１８０゜回転可能な回転板を具備し、該回転板の一方の面にコップうがい水給水装置を、他方の面に噴水うがい水給水装置を有し、前記回転板を１８０゜回転することにより、前記コップうがい水給水装置と噴水うがい水給水装置を選択して使用し得るようにしたことを特徴としたものである。
【０００６】
請求項２の発明は、請求項１の発明において、前記コップうがい水給水装置及び噴水うがい水給水装置への給水は、前記水平軸をなす管路内を通して配設され、かつ、相互に独立した給水管を通して行われることを特徴としたものである。
【０００７】
請求項３の発明は、請求項２の発明において、前記水平軸をなす管路内には、更に、前記回転板がコップうがい水給水装置が使用可能状態にある時のみ電気信号を出力するリード線と、噴水うがい水給水装置が使用可能状態にある時のみ電気的信号を出力するリード線とが配設されていることを特徴としたものである。
【０００８】
請求項４の発明は、請求項３の発明において、前記コップうがい水給水装置が使用可能状態にある時に出力される電気信号はコップの存在を検知した電気信号であり、前記噴水うがい水を給水装置が使用可能状態にある時に出力される電気信号は噴水うがい水噴水するためのスイッチを操作した時に出力される電気信号であることを特徴としたものである。
【０００９】
請求項５の発明は、請求項１乃至４のいずれかの発明において、前記回転板の側面を保持し、該回転板を１８０゜回転した水平位置状態に保持するための回転板ロック機構を有することを特徴としたものである。
【００１０】
請求項６の発明は、請求項１乃至５のいずれかに記載の歯科用スピットンを備えたことを特徴としたものである。
【００１１】
【発明の実施の形態】
図１は、本発明によるスピットンの使用形態を説明するための図で、図中、１１は回転板、１２は該回転板１１の一方の面に設けられたコップ式うがい水給水装置（給水口）、１３は該回転板１１の他方の面に設けられた噴水式うがい水給水装置（ノズル）、１４は回転板１１を正逆回転させるスイッチで、該回転板１１は水平軸１１ａ、１１ｂのまわりに１８０゜正逆回転可能に取り付けられている。
【００１２】
図１において、図１（Ａ）はコップ式うがい水給水装置として使用している時の状態を、図１（Ｃ）は噴水式うがい水給水装置として使用している時の状態を示し、図１（Ｂ）は回転板１１を回転して図１（Ａ）に示したコップ式うがい水給水状態から図１（Ｃ）に示す噴水式うがい水給水状態に変換している時の状態を示す図で、この変換は、例えば、スイッチ１４を押すことによって行なわれる。なお、スイッチ１４を押すごとに、回転板１１は１８０°正逆回転して、噴水式うがい水給水状態とコップ式うがい給水状態を変換する。
【００１３】
図２は、回転板１１への給水、配電を説明するための図で、図２（Ａ）はコップ式うがい水給水装置１２として使用する場合の例を示す図で、２１はコップ式うがい水給水装置１２への水を供給するための給水管、２２は回転板１１のコップ載置部１５の上にコップが載置されたことを検知するセンサ（図示せず）用のリード線で、このコップセンサによってコップの存在が検知された後、給水装置１２よりコップに水が供給され、コップ内の水が所定量に達した時に、給水を停止する。図２（Ｂ）は、回転板１１を１８０゜回転して噴水式うがい水給水装置１３として使用するようにした場合の図で、２３は該噴水式うがい水給水装置１３に水を供給するための給水管、２４は回転板１１上のスイッチ１６のオン、オフを検出する配線（リード線）で、うがいに当って、患者は噴水口（ノズル）に口を近づけ、スイッチ１６を押して、噴水口よりうがい水を噴水して口腔内をうがいする。なお、スイッチ１６を押すのは、必ずしも、患者でなくてもよく、例えば、術者でもアシスタントでもよい。或いは、椅子の動きに連動して噴水させるようにしても、更には、回転板１１以外のところに設けた、換言すれば、術者やアシスタントが操作しやすい場所に設けたスイッチの操作によって噴水させるようにしてもよい。
【００１４】
図３は、回転板１１を回転させる回転手段の例を説明するための概略構成図で、図３（Ａ）に示す例は、モータ３１とベルト３２を用い、該ベルト３２をモータ３１の回転軸３１ａと回転板１１の回動軸１１ａ（又は１１ｂ）との間に懸架し、モータ３１を正転又は逆転することによって、回転板１１を、前述のように、１８０゜正逆転するものである。なお、４１は、スピットン上面板に組み込まれたボールブランジャー、エアシリンダ等のロック機構で、回転板１１が、前述のようにして、１８０゜回転された時に、該回転板１１をその位置に（スピットンの上面板と面一となるように）保持する。図３（Ｂ）は、図３（Ａ）に示したベルト３２に代って、コンプリング（バネ板）３３を用いたもので、この場合には、コンプリング３３によって回転板１１を保持することができるので、前述のロック機構４１は必ずしも必要としない。図３（Ｃ）は、手動にて回転板１１を回転させるようにした場合の例を示す図で、この場合には、術者又はアシスタントが回転板１１の例えばＰ部又はＱ部を押す（ただし、ロック機構がエアシリンダ等の場合は、その前にロック機構を解除した後に押す）ことにより、回転板１１を正、逆回転することができる。
【００１５】
【発明の効果】
以上の説明から明らかなように、本発明によると、
通常は、コップ給水方式または噴水方式を使用し、
手の不自由な患者などコップをとる作業ができない患者の時は噴水式として使用し、
お年寄りなど体をつねにひねるような動作ができない患者の時はコップ給水として使用することが可能であり、その患者に合ったうがいを提供することができる。
【図面の簡単な説明】
【図１】本発明による歯科用スピットンの使用例を説明するための図である。
【図２】本発明による歯科用スピットンの給水方法の例を説明するための図である。
【図３】本発明による歯科用スピットンの回転板を回動させる手段の例を説明するための図である。
【図４】本発明による歯科用スピットンが適用される歯科治療ユニットの一例を説明するための概略構成図である。
【符号の説明】
１０…歯科用スピットン、１１…回転板、１２…コップ式うがい水給水装置、１３…噴水式うがい水給水装置、１４…回転板回動スイッチ、１５…コップ載置部、１６…給水スイッチ、１７…鉢部、２１，２３…給水管、２２，２４…リード線、３１…モータ、３２…ベルト、３３…コンプリング、４１…ロック機構。
【図１】
0003576142.tif 000002
【図２】
0003576142.tif 000003
【図３】
0003576142.tif 000004
【図４】
0003576142.tif 000005